(57)【要約】【課題】自動販売機の冷却システムの制御装置に関し、凝縮器ファンの取付け状態に応じて凝縮器での熱交換量を調整することができ、冷凍能力の改善を図ることができる自動販売機を提供することを目的とする。【解決手段】負荷制御部は、凝縮温度状態を確認するための凝縮温度確認手段１００と、複数の凝縮器ファンの運転パターンが記憶されている凝縮器ファン運転パターン記憶部４００と、凝縮温度確認手段１００が確認した凝縮温度状態と凝縮器ファン運転パターン記憶部４００に記憶された運転パターンにより複数の凝縮器ファンの運転パターンを決定する凝縮器ファン動作判定部３００により制御することにより、複数の凝縮器ファンの配置に応じて凝縮器での熱交換量を調整することができ、機械室内の空気の送風を維持する自動販売機における冷凍能力の調整を容易に適切に行うことができる。【選択図】図４
2012174167.tif 000002
【特許請求の範囲】
【請求項１】
機械室に凝縮器と複数の凝縮器ファンを備え、少なくとも１つの凝縮器ファンは動作状態を維持して前記機械室内の空気を送風する自動販売機において、複数の前記凝縮器ファンと複数の庫内ファンと圧縮機と電磁弁とを制御する負荷制御部は、凝縮温度状態を確認するための凝縮温度確認手段と、複数の前記凝縮器ファンの運転パターンが記憶されている凝縮器ファン運転パターン記憶部と、前記凝縮温度確認手段が確認した凝縮温度状態と前記凝縮器ファン運転パターン記憶部に記憶された運転パターンにより複数の前記凝縮器ファンの運転パターンを決定する凝縮器ファン動作判定手段により制御するもので、複数の凝縮器ファンは、少なくとも前記凝縮器に対して熱交換量の大きい箇所と熱交換量の小さい箇所に配置したことを特徴とする自動販売機。
【請求項２】
前記凝縮温度確認手段は、外気温度、冷温設定、冷却動作状態、時間に基づき凝縮温度状態を判定するための凝縮温度判定手段とし、前記凝縮器ファン動作判定手段は、前記凝縮温度判定手段により前記凝縮器ファンの運転パターンを決定することを特徴とする請求項１に記載の自動販売機。
【請求項３】
前記凝縮温度確認手段は、凝縮温度を検知するための凝縮温度検知手段とし、前記凝縮器ファン動作判定手段は、前記凝縮温度検知手段が検知した前記凝縮温度により前記凝縮器ファンの運転パターンを決定することを特徴とする請求項１に記載の自動販売機の制御装置。
【請求項４】
前記凝縮温度判定手段は、冷温設定を確認するための冷温設定確認部と、外気温度を確認するための外気温度確認部とから構成したことを特徴とする請求項２に記載の自動販売機。
【請求項５】
前記凝縮温度判定手段は、冷温設定を確認するための冷温設定確認部と、外気温度を確認するための外気温度確認部と、前記圧縮機の動作状態や冷却状態を確認するための冷却動作確認部とから構成したことを特徴とする請求項２に記載の自動販売機。
【請求項６】
前記凝縮温度判定手段は、冷温設定を確認するための冷温設定確認部と、外気温度を確認するための外気温度確認部と、前記圧縮機の動作状態や冷却状態を確認するための冷却動作確認部と、前記圧縮機が停止してからの時間をカウントするためのタイマーとから構成したことを特徴とする請求項２に記載の自動販売機。
【請求項７】
前記凝縮温度検知手段は、前記凝縮器の温度を検知するための凝縮器サーミスタとしたことを特徴とする請求項３に記載の自動販売機の制御装置。
【請求項８】
前記凝縮温度検知手段は、前記圧縮機の温度を検知するための圧縮機サーミスタとしたことを特徴とする請求項３に記載の自動販売機の制御装置。
【請求項９】
前記凝縮温度検知手段は、高圧配管の温度を検知するための高圧側配管サーミスタとしたことを特徴とする請求項３に記載の自動販売機の制御装置。
【発明の詳細な説明】
【技術分野】
【０００１】
本発明は、自動販売機の冷却システムの制御装置に関するものである。
【背景技術】
【０００２】
近年、自動販売機は、庫外の周囲温度にもとづいて凝縮器ファンを回転数制御する特徴となってきている（例えば、特許文献１参照）。
【０００３】
以下、図面を参照しながら、上記従来の自動販売機について説明する。
【０００４】
図９は、従来の自動販売機の概略構成図であり、自動販売機に搭載した冷凍機ユニットは、電動圧縮機１と、風冷式凝縮器２と，キャピラリチューブ３と，商品収納庫４の庫内に収設した蒸発器５とを組合せた冷凍サイクルからなり、凝縮器２に凝縮器ファン６が付属して電動圧縮機１とともに庫外側に配備されている。また、前記の冷凍機ユニットに対しては、商品収納庫４の庫内温度を検出する庫内温度センサ７，および庫外の周囲温度（外気温度）を検出する庫外温度センサ８と、各温度センサ７，８の検出温度と設定温度とを比較して電動圧縮機１，および凝縮器ファン６の回転数制御を行うマイクロコンピュータなどで実施するコントローラ９、およびコントローラ９の出力側に接続した電動圧縮機用の回転数制御器１０，および凝縮器ファン用の回転数制御器１１を備えている。なお、回転数制御器１０，１１には例えばインバータ装置が採用できる。
【０００５】
上記構成において、商品収納庫４の庫内温度，庫外の周囲温度の高い状態では冷凍機ユニットの電動圧縮機１，凝縮器ファン６の回転数を上げてその時の熱負荷に合わせて冷凍能力を高めた状態で保冷運転する。一方、庫内温度，庫外の周囲温度が低下した場合には、庫内温度センサ７，庫外温度センサ８の検出温度を基に、コントローラ９は庫内温度設定値，周囲温度設定値と温度センサの検出温度とを比較してその温度差に相応した制御により、回転数制御器１０，１１を介して電動圧縮機１，凝縮器ファン６の回転数を下げて冷凍能力を低めるように制御する。
【先行技術文献】
【特許文献】
【０００６】
【特許文献１】特開平８−１６１６２２号公報
【発明の概要】
【発明が解決しようとする課題】
【０００７】
しかしながら、上記従来の自動販売機では、庫内温度，庫外の周囲温度が低下した場合に凝縮器ファン６の回転数を下げているが、凝縮器ファン６が凝縮器２の熱交換量が多い箇所に取付けられている場合、凝縮器２周囲の空気と凝縮器２内の冷媒蒸気との熱交換量が十分に減らないため、冷凍能力を低下したいときに十分に低下できないという課題を有していた。
【０００８】
本発明は上記従来の課題を解決するものであり、凝縮器ファン６の取付け状態に応じて凝縮器２での熱交換量を調整できる自動販売機を提供することを目的とする。
【課題を解決するための手段】
【０００９】
上記従来の課題を解決するために、本発明の自動販売機は、機械室に凝縮器と複数の凝縮器ファンを備え、少なくとも１つの凝縮器ファンは動作状態を維持して前記機械室内の空気を送風する自動販売機において、複数の前記凝縮器ファンと複数の庫内ファンと圧縮
機と電磁弁とを制御する負荷制御部は、凝縮温度状態を確認するための凝縮温度確認手段と、複数の前記凝縮器ファンの運転パターンが記憶されている凝縮器ファン運転パターン記憶部と、前記凝縮温度確認手段が確認した凝縮温度状態と前記凝縮器ファン運転パターン記憶部に記憶された運転パターンにより複数の前記凝縮器ファンの運転パターンを決定する凝縮器ファン動作判定手段により制御するもので、複数の凝縮器ファンは、少なくとも前記凝縮器に対して熱交換量の大きい箇所と熱交換量の小さい箇所に配置したものである。
【００１０】
これによって、前記凝縮温度確認手段が低凝縮温度状態と確認する場合、凝縮器の熱交換量が少ない箇所に取付けられている前記凝縮器ファンを動作させ、前記凝縮器の熱交換量が多い箇所に取付けられている前記凝縮器ファンを停止させることができる。また、前記凝縮温度確認手段が高凝縮温度状態と確認する場合、前記凝縮器の熱交換量が多い箇所と熱交換量の少ない箇所に取付けられている前記凝縮器ファンを動作させることにより、複数の前記凝縮器ファンの配置に応じて前記凝縮器での熱交換量を調整することができ、機械室内の空気の送風を維持する自動販売機における冷凍能力の調整を行うことができる。
【発明の効果】
【００１１】
本発明の自動販売機は、複数の前記凝縮器ファンの配置に応じて前記凝縮器での熱交換量を調整することができ、機械室内の空気の送風を維持する自動販売機における冷凍能力の調整を容易に適切に行うことができる。
【図面の簡単な説明】
【００１２】
【図１】本発明の実施の形態１における自動販売機内部の概要構成図
【図２】本発明の実施の形態１における自動販売機の冷却システムの概要構成図
【図３】本発明の実施の形態１における自動販売機の凝縮器ファンの凝縮器への取付け図
【図４】本発明の実施の形態１における自動販売機の制御装置の構成図
【図５】本発明の実施の形態１における自動販売機の制御装置の凝縮器ファン運転パターン図
【図６】本発明の実施の形態１における自動販売機の制御装置の凝縮器ファン運転パターン図
【図７】本発明の実施の形態１における自動販売機の制御装置の凝縮器ファン運転パターン図
【図８】本発明の実施の形態２における自動販売機の制御装置の凝縮器ファン運転パターン図
【図９】従来の自動販売機の概略構成図
【発明を実施するための形態】
【００１３】
請求項１に記載の発明は、機械室に凝縮器と複数の凝縮器ファンを備え、少なくとも１つの凝縮器ファンは動作状態を維持して前記機械室内の空気を送風する自動販売機において、複数の前記凝縮器ファンと複数の庫内ファンと圧縮機と電磁弁とを制御する負荷制御部は、凝縮温度状態を確認するための凝縮温度確認手段と、複数の前記凝縮器ファンの運転パターンが記憶されている凝縮器ファン運転パターン記憶部と、前記凝縮温度確認手段が確認した凝縮温度状態と前記凝縮器ファン運転パターン記憶部に記憶された運転パターンにより複数の前記凝縮器ファンの運転パターンを決定する凝縮器ファン動作判定手段により制御するもので、複数の凝縮器ファンは、少なくとも前記凝縮器に対して熱交換量の大きい箇所と熱交換量の小さい箇所に配置したものであり、複数の前記凝縮器ファンの配置に応じて前記凝縮器での熱交換量を調整することができ、機械室内の空気の送風を維持する自動販売機における冷凍能力の調整を容易に適切に行うことができる。
【００１４】
請求項２に記載の発明は、請求項１に記載の発明において、前記凝縮温度確認手段は、外気温度、冷温設定、冷却動作状態、時間に基づき凝縮温度状態を判定するための凝縮温度判定手段とし、前記凝縮器ファン動作判定手段は、前記凝縮温度判定手段により前記凝縮器ファンの運転パターンを決定するものであり、複数の前記凝縮器ファンの配置に応じて前記凝縮器での熱交換量をより適切に調整することができ、機械室内の空気の送風を維持する自動販売機における冷凍能力の調整を容易に適切に行うことができる。
【００１５】
請求項３に記載の発明は、請求項１に記載の発明において、前記凝縮温度確認手段は、凝縮温度を検知するための凝縮温度検知手段とし、前記凝縮器ファン動作判定手段は、前記凝縮温度検知手段が検知した前記凝縮温度により前記凝縮器ファンの運転パターンを決定するものであり、複数の前記凝縮器ファンの配置に応じて前記凝縮器での熱交換量をより簡素に調整することができ、機械室内の空気の送風を維持する自動販売機における冷凍能力の調整を容易に適切に行うことができる。
【００１６】
請求項４に記載の発明は、請求項２に記載の発明において、前記凝縮温度判定手段は、冷温設定を確認するための冷温設定確認部と、外気温度を確認するための外気温度確認部とから構成したものであり、複数の前記凝縮器ファンの配置に応じて前記凝縮器での熱交換量をより適切に調整することができ、機械室内の空気の送風を維持する自動販売機における冷凍能力の調整を容易に適切に行うことができる。
【００１７】
請求項５に記載の発明は、請求項２に記載の発明において、前記凝縮温度判定手段は、冷温設定を確認するための冷温設定確認部と、外気温度を確認するための外気温度確認部と、前記圧縮機の動作状態や冷却状態を確認するための冷却動作確認部とから構成したものであり、複数の前記凝縮器ファンの配置に応じて前記凝縮器での熱交換量をより適切に調整することができ、機械室内の空気の送風を維持する自動販売機における冷凍能力の調整を容易に適切に行うことができる。
【００１８】
請求項６に記載の発明は、請求項２に記載の発明において、前記凝縮温度判定手段は、冷温設定を確認するための冷温設定確認部と、外気温度を確認するための外気温度確認部と、前記圧縮機の動作状態や冷却状態を確認するための冷却動作確認部と、前記圧縮機が停止してからの時間をカウントするためのタイマーとから構成したものであり、複数の前記凝縮器ファンの配置に応じて前記凝縮器での熱交換量をより適切に調整することができ、機械室内の空気の送風を維持する自動販売機における冷凍能力の調整を容易に適切に行うことができる。
【００１９】
請求項７に記載の発明は、請求項３に記載の発明において、前記凝縮温度検知手段は、前記凝縮器の温度を検知するための凝縮器サーミスタとしたものであり、複数の前記凝縮器ファンの配置に応じて前記凝縮器での熱交換量をより簡素に調整することができ、機械室内の空気の送風を維持する自動販売機における冷凍能力の調整を容易に適切に行うことができる。
【００２０】
請求項８に記載の発明は、請求項３に記載の発明において、前記凝縮温度検知手段は、前記圧縮機の温度を検知するための圧縮機サーミスタとしたものであり、複数の前記凝縮器ファンの配置に応じて前記凝縮器での熱交換量をより簡素に調整することができ、機械室内の空気の送風を維持する自動販売機における冷凍能力の調整を容易に適切に行うことができる。
【００２１】
請求項９に記載の発明は、請求項３に記載の発明において、前記凝縮温度検知手段は、高圧配管の温度を検知するための高圧側配管サーミスタとしたものであり、複数の前記凝
縮器ファンの配置に応じて前記凝縮器での熱交換量をより簡素に調整することができ、機械室内の空気の送風を維持する自動販売機における冷凍能力の調整を容易に適切に行うことができる。
【００２２】
以下、本発明の実施の形態について、図面を参照しながら説明する。なお、この実施の形態によってこの発明が限定されるものではない。
【００２３】
（実施の形態１）
図１は本発明の実施の形態１における自動販売機内部の概要構成図である。図２は、本発明の実施の形態１における自動販売機の冷却システムの概要構成図を示す。図３は、本発明の実施の形態１における自動販売機の凝縮器ファンの凝縮器への取付け図である。図４は、本発明の実施の形態１における自動販売機の制御装置の構成図である。図５から図７は、本発明の実施の形態１における自動販売機の制御装置の凝縮器ファン運転パターン図である。
【００２４】
図１において、自動販売機２１は、断熱隔壁２２により区画された庫内Ａ、庫内Ｂそして庫内Ｃを備え、それぞれに商品収納コラム２３Ａ、商品収納コラム２３Ｂそして商品収納コラム２３Ｃを有する。さらに、商品収納コラム２３Ａ、商品収納コラム２３Ｂそして商品収納コラム２３Ｃ内には、温度を測定するコラム内温度測定センサ４１Ａ、コラム内温度測定センサ４１Ｂそしてコラム内温度測定センサ４１Ｃを有する。そして、自動販売機全体を制御するためのコントローラ２７、圧縮機等の冷却装置及び商品排出機構等が内蔵された機構部２６を備えて構成されている。
【００２５】
図２において、庫内Ａに、庫内Ａを冷却するための蒸発器６０Ａ、庫内Ａの空気を循環させるための庫内ファン６１Ａ、庫内Ａを加温するためのヒータ６２Ａ、液冷媒を絞り膨張させるためのキャピラリチューブ６３Ａ、庫内Ａに冷媒を流すための電磁弁６４Ａが取付けられている。庫内Ｂと庫内Ｃも同様である。蒸発器６０Ａ、蒸発器６０Ｂそして蒸発器６０Ｃからの冷媒を圧縮するための圧縮機６８、圧縮機６８で圧縮された冷媒蒸気を凝縮させるための凝縮器６６、凝縮器６６に取付けられ凝縮器に送風するための凝縮器ファン６７ａ、凝縮器ファン６７ｂ、凝縮器ファン６７ｃ、水分を除去するドライヤ６５を備えている。
【００２６】
図３において、凝縮器ファン６７ａと凝縮器ファン６７ｂは凝縮器配管６９の密度が高い箇所（凝縮器周囲空気と凝縮器配管６９内の冷媒との熱交換量が多くなる箇所）に取付けられており、凝縮器ファン６７ｃは凝縮器配管６９の密度が低い箇所（凝縮器周囲空気と凝縮器配管６９内の冷媒との熱交換量が少なくなる箇所）に取付けられている。
【００２７】
図４において、凝縮温度を確認するための凝縮温度確認手段１００と、凝縮器ファンの運転パターンを記憶した凝縮器ファン運転パターン記憶部４００と、凝縮温度から凝縮器ファン６７ａ、凝縮器ファン６７ｂ、凝縮器ファン６７ｃの動作制御を判定するための凝縮器ファン動作判定部３００により構成された負荷制御部２００は、凝縮温度確認手段１００として、凝縮温度を冷温設定、外気温度、冷却動作状態、時間により判定するための凝縮温度判定手段１１０と、凝縮温度を検知するための凝縮温度検知手段１２０を備えている。
【００２８】
本発明の実施の形態１の凝縮温度判定手段１１０（凝縮温度確認手段１００）としての冷温設定による凝縮温度判定手段１１１は、自動販売機２１の冷温設定を確認するための冷温設定確認部１１１ａと外気温度を確認するための外気温度確認部１１１ｂとしている。
【００２９】
以上のように構成された自動販売機２１の冷却システムの制御装置について、以下その動作、作用を説明する。
【００３０】
図４において、冷温設定確認部１１１ａが自動販売機の冷温設定を庫内Ａが冷却、庫内Ｂが加温、庫内Ｃが冷却と認識し、外気温度確認部１１１ｂが５℃と認識した場合、冷温設定による凝縮温度判定手段１１１はこれらの情報を凝縮器ファン動作判定部３００に送信する。凝縮器ファン動作判定部３００は、冷温設定による凝縮温度判定手段１１１から受信した冷温設定（加温／加温／冷却）と外気温度（５℃）を図５の凝縮器ファン運転パターン記憶部４００に記憶されたデータと照合する。この場合、加温／加温／冷却で、低外気温度（外気温度１０℃以下のため）の運転パターンを、凝縮器ファン６７ａを停止、凝縮器ファン６７ｂを停止、凝縮器ファン６７ｃを動作させると判定し制御する。その他の冷温設定や外気温度も同様に図５の凝縮器ファン運転パターンに従う。
【００３１】
なお、本実施の形態における冷却装置に用いられる冷媒は、地球環境保護の観点からノンフロンである自然冷媒を適用している。具体的には、ＨＣ系の例えばイソブタンを用いたものである。したがって、可燃性冷媒適用での安全性を高めるため、冷却装置の多くを配置する機械室内は冷媒漏洩時の対応として、常に機械室外気を取り込み排出することが求められる。本実施の形態においても、機械室に凝縮器と複数の凝縮器ファンを備え、少なくとも１つの凝縮器ファンは動作状態を維持して機械室内の空気を送風する自動販売機を前提とするものである。
【００３２】
以上のように、本実施の形態においては、凝縮温度判定手段１１０（凝縮温度確認手段１００）を冷温設定による凝縮温度判定手段１１１とすることにより、凝縮温度低下による冷媒循環量不足が発生しやすい状態（冷温設定が加温、加温、冷却といった冷媒循環量が少ない設定、かつ低外気温度）において、凝縮器配管６９の密度の低い箇所に取付けられている凝縮器ファン６７ｃのみを動作させて、凝縮器で冷媒蒸気と凝縮器周囲空気との熱交換量を必要以上に増やさないことで、凝縮温度の過渡な低下を防止でき、冷凍能力の改善を図ることができる。
【００３３】
また、凝縮温度が下がりきらずに蒸発温度が上昇して冷却不足になりやすい状態（冷温設定が冷却、冷却、冷却で、外気温度が高外気温度）では、凝縮器ファン６７ａと凝縮器ファン６７ｂと凝縮器ファン６７ｃを動作させて、凝縮器で冷媒蒸気と凝縮器周囲空気との熱交換量を増やすことにより、凝縮温度を必要な圧力まで低下させて蒸発温度上昇による冷却不足を防止できる。
【００３４】
なお、本実施の形態では、凝縮温度判定手段１１０（凝縮温度確認手段１００）を冷温設定による凝縮温度判定手段１１１としたが、凝縮温度判定手段１１０を運転状態による凝縮温度判定手段１１２としてもよい。この場合、運転状態による凝縮温度判定手段１１２は、冷温設定確認部１１１ａ、外気温度確認部１１１ｂ、圧縮機６８が動作中（冷却中）か停止中（冷却停止中）かを確認するための冷却動作確認部１１２ｃとから構成されている。動作は、冷温設定による凝縮温度判定手段１１１と同様で、冷温設定確認部１１１ａが冷温設定を確認し、外気温度確認部１１１ｂが外気温度を確認し、冷却動作確認部１１２ｃが冷却中か冷却停止中かを確認し、これらの情報を凝縮器ファン動作判定部３００に送信する。冷温設定が加温／冷却／冷却で、外気温度が３２℃で、冷却停止中の場合、図６の凝縮器ファン運転パターンより、凝縮器ファン動作判定部３００は凝縮器ファン６７ａを停止、凝縮器ファン６７ｂを停止、凝縮器ファン６７ｃを動作させる。その他の冷温設定や外気温度や冷却動作パターンも同様に図６の凝縮器ファン運転パターンに従う。
【００３５】
以上のように、凝縮温度判定手段１１０を運転状態による凝縮温度判定手段１１２とすることにより、圧縮機６８が停止中に凝縮器ファンの停止個数を増やすことができ、省エ
ネルギーを促進することもできる。
【００３６】
さらに、本実施の形態では、凝縮温度判定手段１１０（凝縮温度確認手段１００）を冷温設定による凝縮温度判定手段１１１としたが、凝縮温度判定手段１１０を時間による凝縮温度判定手段１１３としてもよい。この場合、時間による凝縮温度判定手段１１３は、冷温設定確認部１１１ａ、外気温度確認部１１１ｂ、冷却動作確認部１１２ｃ、圧縮機６８が停止してからの時間をカウントするためのタイマー１１３ｃとから構成されている。動作は、冷温設定による凝縮温度判定手段１１１と同様で、冷温設定確認部１１１ａが冷温設定を確認し、外気温度確認部１１１ｂが外気温度を確認し、冷却動作確認部１１２ｃが冷却中か冷却停止中かを確認し、タイマー１１３ｃが圧縮機６８が停止してからの時間をカウントする。冷温設定が冷却／冷却／冷却で、外気温度が３２℃で、圧縮機６８停止直後の場合、図７の凝縮器ファン運転パターンより、凝縮器ファン動作判定部３００は凝縮器ファン６７ａを動作、凝縮器ファン６７ｂを動作、凝縮器ファン６７ｃを動作させ、圧縮機６８停止から所定時間経過（例えば２ｍｉｎ経過）したら凝縮器ファン６７ａを停止、凝縮器ファン６７ｂを停止、凝縮器ファン６７ｃを動作させる。
【００３７】
以上のように、凝縮温度判定手段１１０を時間による凝縮温度判定手段１１３とすることにより、圧縮機６８が停止して所定時間経過後に凝縮器ファン６７ａ、凝縮器ファン６７ｂ、凝縮器ファン６７ｃのいずれかを停止させることができ、圧縮機６８の圧力バランスを十分にとった上で省エネルギーを促進することもできる。
【００３８】
本実施の形態において、常に凝縮器ファン６７ａと凝縮器ファン６７ｂと凝縮器ファン６７ｃのいずれか一つを動作させることを前提としているのは、ドレン水を蒸発させるために蒸発促進装置に送風することを目的としたものである。
【００３９】
なお、本実施の形態における冷却装置に用いられる冷媒は、地球環境保護の観点からノンフロンである自然冷媒を適用したものとしてもよい。具体的には、ＨＣ系の例えばイソブタンを用いることができる。この場合、可燃性冷媒適用での安全性を高めるため、冷却装置の多くを配置する機械室内は冷媒漏洩時の対応として、常に機械室外気を取り込み排出することが求められる。したがって、機械室に凝縮器と複数の凝縮器ファンを備え、少なくとも１つの凝縮器ファンは動作状態を維持して機械室内の空気を送風する自動販売機を前提としたのは、上記ドレン水の蒸発促進作用だけでなく、可燃性冷媒適用時の安全性向上を目的とすることもできる。
【００４０】
（実施の形態２）
図４は、本発明の実施の形態２における自動販売機の制御装置の構成図である。図８は本発明の実施の形態２における自動販売機の制御装置の凝縮器ファン運転パターンである。なお、実施の形態１と同一構成については、詳細な説明を省略する。
【００４１】
図４において、本発明の実施の形態２の凝縮温度確認手段１００としての凝縮温度検知手段１２０は、凝縮器の温度を検知するための凝縮器出口にとりつけられた凝縮器サーミスタ１２１としている。
【００４２】
以上のように構成された自動販売機２１の冷却システムの制御装置について、以下その動作、作用を説明する。
【００４３】
凝縮器サーミスタ１２１の検知温度が凝縮温度５℃の場合、凝縮器ファン動作判定部３００は、凝縮温度５℃と図８の凝縮器ファン運転パターン記憶部４００に記憶されたデータと照合する。この場合、凝縮温度１０℃以下となるので、凝縮器ファン６７ａを停止、凝縮器ファン６７ｂを停止、凝縮器ファン６７ｃを動作させる。その他の凝縮温度も図８
の運転パターンに従う。
【００４４】
以上のように、本実施の形態においては、凝縮温度検知手段１２０（凝縮温度確認手段１００）を凝縮器サーミスタ１２１にすることにより、凝縮温度を直接確認することができ、凝縮温度を判定するよりも精度よく凝縮温度を調整でき、冷却能力を向上させることができる。
【００４５】
なお、凝縮温度の検知方法を凝縮器サーミスタ１２１としたが、圧縮機６８の吐出温度を検知するための圧縮機サーミスタ１２２や圧力が高い配管の温度を検知するための高圧側配管サーミスタ１２３としてもよい。この場合、高圧側配管サーミスタ１２３の取付け箇所を増やすことができ、作業性の改善を図ることもできる。
【産業上の利用可能性】
【００４６】
以上のように、本発明にかかる自動販売機は、複数の前記凝縮器ファンの配置に応じて前記凝縮器での熱交換量を調整することができ、機械室内の空気の送風を維持する自動販売機における冷凍能力の調整を容易に適切に行うことができるので、冷却システムを備えたあらゆる機器の用途にも適用できる。
【符号の説明】
【００４７】
２１  自動販売機
６４Ａ、６４Ｂ、６４Ｃ  電磁弁
６６  凝縮器
６７ａ、６７ｂ、６７ｃ  凝縮器ファン
６８  圧縮機
１００  凝縮温度確認手段
１１０  凝縮温度判定手段
１１１  冷温設定による凝縮温度判定手段
１１１ａ  冷温設定確認部
１１１ｂ  外気温度確認部
１１２  運転状態による凝縮温度判定手段
１１２ｃ  冷却動作確認部
１１３  時間による凝縮温度判定手段
１１３ｃ  タイマー
１２０  凝縮温度検知手段
１２１  凝縮器サーミスタ
１２２  圧縮機サーミスタ
１２３  高圧側配管サーミスタ
２００  負荷制御部
３００  凝縮器ファン動作判定部
４００  凝縮器ファン運転パターン記憶部
【図１】
2012174167.tif 000003
【図２】
2012174167.tif 000004
【図３】
2012174167.tif 000005
【図４】
2012174167.tif 000006
【図５】
2012174167.tif 000007
【図６】
2012174167.tif 000008
【図７】
2012174167.tif 000009
【図８】
2012174167.tif 000010
【図９】
2012174167.tif 000011